(57)【要約】【課題】ブロック間歪みによる画質劣化が発生した場合であっても最適な画質調整を行うこと。【解決手段】画質劣化検出部が、復号化映像における輝度信号の高域成分の絶対値に基づいてブロック間歪み量を検出し、検出されたブロック間歪み量が所定の閾値よりも大きい場合に復号化映像に画質劣化があると判定し、画質調整部が、画質劣化があると判定された場合に、検出されたブロック間歪み量に基づいてブロックの境界部分についてのみ画質調整を行うように画質調整装置を構成する。【選択図】        図２
2009212806.tif 000002
【特許請求の範囲】
【請求項１】
矩形のブロックごとに符号化された圧縮映像を復号化した復号化映像の画質を調整する画質調整方法であって、
前記復号化映像における輝度信号の高域成分の絶対値に基づいてブロック間歪み量を検出する歪み量検出工程と、
前記歪み量検出工程によって検出された前記ブロック間歪み量が所定の閾値よりも大きい場合に前記復号化映像に画質劣化があると判定する画質劣化判定工程と、
前記画質劣化判定工程によって画質劣化があると判定された場合に前記歪み量検出工程によって検出された前記ブロック間歪み量に基づいて前記ブロックの境界部分についてのみ画質調整を行う画質調整工程と
を含んだことを特徴とする画質調整方法。
【請求項２】
前記画質調整工程は、
前記復号化映像における輝度信号の高域成分の減衰制御、前記復号化映像における色信号の大きさおよび／または色信号の高域成分の減衰制御、前記復号化映像における輝度信号の明暗差および／または大きさの減衰制御のうちいずれか一つの減衰制御または二つ以上の減衰制御の組み合わせによって前記画質調整を行うことを特徴とする請求項１に記載の画質調整方法。
【請求項３】
前記画質調整工程は、
予め設定された所定の設定値と前記歪み量検出工程によって検出された前記ブロック間歪み量との差に基づいて前記ブロックの境界部分についてのみ画質調整を行うことを特徴とする請求項１または２に記載の画質調整方法。
【請求項４】
矩形のブロックごとに符号化された圧縮映像を復号化した復号化映像の画質を調整する画質調整装置であって、
前記復号化映像における輝度信号の高域成分の絶対値に基づいてブロック間歪み量を検出する歪み量検出手段と、
前記歪み量検出手段によって検出された前記ブロック間歪み量が所定の閾値よりも大きい場合に前記復号化映像に画質劣化があると判定する画質劣化判定手段と、
前記画質劣化判定手段によって画質劣化があると判定された場合に、前記歪み量検出手段によって検出された前記ブロック間歪み量に基づいて前記ブロックの境界部分についてのみ画質調整を行う画質調整手段と
を備えたことを特徴とする画質調整装置。
【発明の詳細な説明】
【技術分野】
【０００１】
この発明は、矩形のブロックごとに符号化された圧縮映像を復号化した復号化映像の画質を調整する画質調整方法および画質調整装置に関し、特に、ブロック間歪みによる画質劣化が発生した場合であっても最適な画質調整を行うことができる画質調整方法および画質調整装置に関する。
【背景技術】
【０００２】
いわゆるワンセグ（One  Segment）放送（携帯電話向け地上デジタル放送）に係る映像などのデジタル映像は、映像を矩形のブロックに分割したうえでデジタル圧縮技術を用いて圧縮されている。そして、このような画像を復号化する際に、映像の一部の領域がモザイク状に見えるブロックノイズ（以下、「ブロック間歪み」と記載する）が問題となっている。
【０００３】
また、このようなデジタル映像を視聴する装置は、視聴者の好みに応じた画質調整を行うための画質調整機能を備えることが一般的である。たとえば、輝度成分の高周波成分を表す「シャープネス」、色成分の大きさを表す「カラー」、色成分の高周波成分を表す「色エッジ」等を、視聴者は自己の好みに合わせて調整することができる。
【０００４】
ところで、自動車のような車両においてワンセグ放送に係るデジタル映像を視聴する場合には、車両の走行条件に応じて放送波の受信状態が変化しやすいので、受信状態が悪化するとブロック間歪みが顕著になりやすいという問題がある。
【０００５】
このため、受信状態の悪化に伴う画質劣化を抑制する手法が提案されている。たとえば、特許文献１には、車載用テレビジョン装置に関し、車両速度の増加に従って受信状態が劣化することに起因する画質劣化を、画像の輪郭の鮮明度を低下させることで調整する技術が開示されている。
【０００６】
【特許文献１】特開平６−３０３４８号公報
【発明の開示】
【発明が解決しようとする課題】
【０００７】
しかしながら、特許文献１の技術は、ワンセグ放送のようなデジタル映像の画質劣化を防止するための技術ではないため、特許文献１の技術を用いたとしても、上記したブロック間歪みに起因する画質劣化を効果的に防止することはできない。具体的には、デジタル映像に特有のブロック間歪みはブロック境界部分に発生しやすいが、そもそも、特許文献１の技術は、ブロックごとに画質を調整する仕組みを有していない。
【０００８】
また、上記した画質調整機能を用いて利用者が画質調整を行う場合、良好な受信状態における映像を画質調整の対象とすることが通常である。しかし、このようにして画質調整された映像は、受信状態が悪化した場合には、未調整の映像よりも顕著な画質劣化を引き起こすことが多い。
【０００９】
これらのことから、ブロック間歪みによる画質劣化が発生した場合であっても最適な画質調整を行うことができる画質調整方法あるいは画質調整装置をいかにして実現するかが大きな課題となっている。
【００１０】
この発明は、上述した従来技術による問題点を解消するためになされたものであり、ブロック間歪みによる画質劣化が発生した場合であっても最適な画質調整を行うことができる画質調整方法および画質調整装置を提供することを目的とする。
【課題を解決するための手段】
【００１１】
上述した課題を解決し、目的を達成するため、本発明は、矩形のブロックごとに符号化された圧縮映像を復号化した復号化映像の画質を調整する画質調整方法であって、前記復号化映像における輝度信号の高域成分の絶対値に基づいてブロック間歪み量を検出する歪み量検出工程と、前記歪み量検出工程によって検出された前記ブロック間歪み量が所定の閾値よりも大きい場合に前記復号化映像に画質劣化があると判定する画質劣化判定工程と、前記画質劣化判定工程によって画質劣化があると判定された場合に、前記歪み量検出工程によって検出された前記ブロック間歪み量に基づいて前記ブロックの境界部分についてのみ画質調整を行う画質調整工程とを含んだことを特徴とする。
【００１２】
また、本発明は、矩形のブロックごとに符号化された圧縮映像を復号化した復号化映像の画質を調整する画質調整装置であって、前記復号化映像における輝度信号の高域成分の絶対値に基づいてブロック間歪み量を検出する歪み量検出手段と、前記歪み量検出手段によって検出された前記ブロック間歪み量が所定の閾値よりも大きい場合に前記復号化映像に画質劣化があると判定する画質劣化判定手段と、前記画質劣化判定手段によって画質劣化があると判定された場合に、前記歪み量検出手段によって検出された前記ブロック間歪み量に基づいて前記ブロックの境界部分についてのみ画質調整を行う画質調整手段とを備えたことを特徴とする。
【発明の効果】
【００１３】
本発明によれば、復号化映像における輝度信号の高域成分の絶対値に基づいてブロック間歪み量を検出し、検出されたブロック間歪み量が所定の閾値よりも大きい場合に復号化映像に画質劣化があると判定し、画質劣化があると判定された場合に、検出されたブロック間歪み量に基づいてブロックの境界部分についてのみ画質調整を行うこととしたので、ブロック間歪み量の大小に応じて動的に画質調整を行うことで、ブロック間歪みによる画質劣化が発生した場合であっても最適な画質調整を行うことができるという効果を奏する。また、ブロック境界においてのみ画質調整値の変更を行うことで、画像全体の質感を損なうことなく、ブロック間歪みを低減することができるという効果を奏する。
【発明を実施するための最良の形態】
【００１４】
以下に添付図面を参照して、この発明に係る画質調整方法および画質調整装置の好適な実施例を詳細に説明する。なお、以下では、ワンセグ放送に係る映像データを復号化する際に発生するブロックノイズを低減する場合について説明する。また、以下では、本発明に係る画質調整手法の概要についての説明を行った後に、実施例１では、本発明に係る画質調整手法を適用した画質調整装置について、実施例２では、画質調整装置の変形例について、それぞれ説明することとする。
【００１５】
まず、本発明に係る画質調整手法の概要について図１を用いて説明する。図１は、本発明に係る画質調整手法の概要を示す図である。同図に示すように、入力画像としてワンセグ放送に係る映像データを復号化して表示する場合、デジタル圧縮処理の単位となるブロック（たとえば、８画素×８画素）境界部分の歪みが増大しやすく、受信状態が悪化した場合などには、画質劣化が顕著となる。ここで、かかる画質劣化は、「ブロックノイズ」あるいは「ブロック間歪み」と呼ばれる。
【００１６】
また、従来の画質調整手法では、輝度成分の高周波成分を表す「シャープネス」、色成分の大きさを表す「カラー」、色成分の高周波成分を表す「色エッジ」、輝度成分の明暗差を表す「コントラスト」、輝度成分の大きさを表す「ブライトネス」といった、各画質調整値を利用者の好みに応じて設定することができる機能を有することが一般的である。
【００１７】
ここで、このような画質調整値は、良好な受信状態において、すなわち、ブロック間歪み（ブロックノイズ）が発生していない状態で設定されたものが用いられている。しかし、ブロック間歪みが発生していない状態で設定された画質調整値は、いったんブロック間歪みが発生してしまうと、かえって画質を劣化させてしまうことになる。たとえば、輪郭をはっきりさせるためにシャープネスを高い値に調整すると、ブロック境界部におけるブロック間歪みが強調されてしまい、かえってブロック間歪みが目立つ結果となる。
【００１８】
そこで、本発明に係る画質調整手法では、入力画像からブロック間歪み量を検出し（同図の（１）参照）、検出したブロック間歪み量が所定値に達した場合には、ブロック境界についてのみ、予め設定されている画質調整値を、検出された歪み量に基づいて変更することとした（同図の（２）参照）。そして、変更後の画質調整値を適用し（同図の（３）参照）、画質調整後の画像を出力画像として出力することとした。
【００１９】
このように、画質調整値の変更をブロック間歪み量に基づいて動的に行うことで、受信状態が悪化して急激にブロック間歪みが増大した場合においても、増大したブロック間歪みを効果的に低減することができる。また、ブロック境界においてのみ画質調整値の変更を行うことで、画像全体の質感を損なうことなく、ブロック間歪みを低減することができる。以下では、まず、本発明に係る画質調整手法を適用した基本的な画質調整装置についての実施例である実施例１を説明する。
【実施例１】
【００２０】
図２は、実施例１に係る画質調整装置１０の構成を示すブロック図である。同図に示すように、画質調整装置１０は、放送波を受信するアンテナと接続されたチューナ１１と、復調部１２と、Ｄｅｍｕｘ１３と、ＡＡＣデコーダ１４と、Ｈ２６４デコーダ１５と、制御部１６とを備えている。また、制御部１６は、画質劣化検出部１６ａと、設定部１６ｂと、画質調整部１６ｃとをさらに備えている。なお、同図においては、ビデオ出力の対象となるディスプレイ等の表示部を図示していないが、画質調整装置１０がこの表示部を備えるように構成することとしてもよい。
【００２１】
チューナ１１は、放送波の検波・増幅を行うデバイスであり、増幅したＩＦ（Intermediate  Frequency）信号を復調部１２へ出力する処理を行う。また、復調部１２は、直交周波数分割多重方式のデジタル復調を行うデバイスであり、ＴＳ（トランスポートストリーム）信号をＤｅｍｕｘ１３へ出力する処理を行う。
【００２２】
Ｄｅｍｕｘ１３は、復調部１２から受け取ったＴＳ信号を、音声信号および映像信号に分離する処理を行うデバイスである。なお、同図には示していないが、このＤｅｍｕｘ１３は、ＴＳ信号に含まれるデータ信号を分離する処理も併せて行う。ここで、データ信号とは、放送波に重畳されたＥＰＧ（Electronic  Program  Guide）、すなわち、電子番組ガイドなどのデータを指す。なお、Ｄｅｍｕｘ１３は、放送波から分離した音声信号をＡＡＣデコーダ１４へ、映像信号をＨ２６４デコーダ１５へ、それぞれ出力する。
【００２３】
ＡＡＣ（Advanced  Audio  Coding）デコーダ１４は、ＭＰＥＧ（Moving  Picture  Experts  Group）−４等の圧縮方式で圧縮された音声データを復号（デコード）する処理を行うデバイスである。このＡＡＣデコーダ１４は、Ｄｅｍｕｘ１３から受け取った音声信号をデコードし、デコードした音声信号を音声出力としてアンプ等の外部装置へ出力する処理を行う。
【００２４】
Ｈ２６４デコーダ１５は、Ｈ．２６４と呼ばれる動画圧縮規格に準拠した圧縮方式で圧縮された映像信号を復号（デコード）する処理を行うデバイスである。このＨ２６４デコーダ１５は、Ｄｅｍｕｘ１３から受け取った映像信号をデコードし、デコードした映像信号（Ａ）を制御部１６の画質劣化検出部１６ａおよび画質調整部１６ｃへ、それぞれ出力する処理を行う。
【００２５】
制御部１６は、Ｈ２６４デコーダ１５から受け取った映像信号（Ａ）に基づいてブロック間歪み量（以下、「歪み量（Ｃ）」と記載する）を検出し、予め設定された各画質調整値を、検出した歪み量（Ｃ）に基づいて調整することで動的に画質調整する処理を行う処理部である。また、この制御部１６は、動的に画質調整した映像信号をビデオ出力としてディスプレイ等の外部装置へ出力する処理も併せて行う。
【００２６】
画質劣化検出部１６ａは、Ｈ２６４デコーダ１５から受け取った映像信号（Ａ）に基づき、画質劣化を検出したか否かを表す信号である劣化検出（Ｂ）信号、ブロック間歪みの大きさを表す信号である歪み量（Ｃ）信号およびブロック境界であるか否かを表す信号であるブロック境界（ＢＣＨＧ）信号を、画質調整部１６ｃへ出力する処理を行う処理部である。ここで、この画質劣化検出部１６ａを回路で構成した場合の例について図３および図４を用いて説明しておく。
【００２７】
図３は、画質劣化検出回路の一例を示す図である。同図に示すように、画質劣化検出回路は、ＨＰＦ（ハイパスフィルタ）３１と、絶対値（ＡＢＳ）取得器３２と、比較器３３とから構成される。映像信号（Ａ）に含まれる輝度信号がＨＰＦ３１に入力されると、ＨＰＦ３１は、入力された輝度信号の高周波成分を抽出して絶対値（ＡＢＳ）取得器３２へ出力する。ここで、ＨＰＦ３１が行う高周波成分抽出処理によってブロック間の輝度差、すなわち、ブロック間歪み（正／負含む）が求められ、この絶対値をとることで歪み量（Ｃ）が出力される。
【００２８】
また、比較器３３には、この歪み量（Ｃ）が信号「ａ」として、所定の閾値（ＳＬ）が信号「ｂ」として、それぞれ入力され、式「ａ＞ｂ」を満たした場合には、劣化を検出したとして、劣化検出（Ｂ）信号に「Ｈ」が設定されて出力される。なお、式「ａ＞ｂ」を満たさない場合には、劣化を検出しなかったとして、劣化検出（Ｂ）信号には「Ｌ」が設定されて出力される。
【００２９】
図４は、ブロック境界検出回路の一例を示す図である。同図に示すように、ブロック境界検出回路は、水平カウンタ４１と、水平方向に係る７〜９ドット目の検出器４２と、ラインカウンタ４３と、垂直方向に係る７〜９ドット目の検出器４４と、ＯＲ（論理和）演算器４５とから構成される。なお、映像信号（Ａ）は、８ドット×８ドットのブロックで構成されているものとする。
【００３０】
水平カウンタ４１は、ドットクロックに従って映像信号（Ａ）を水平方向にサーチしていく。そして、水平方向に係る７〜９ドット目の検出器４２が、７〜９ドット目を検出すると、ブロック境界を検出した旨がＯＲ（論理和）演算器４５へ出力される。また、垂直方向についても、ラインカウンタ４３および垂直方向に係る７〜９ドット目の検出器４４が、ブロック境界を検出し、その旨をＯＲ（論理和）演算器４５へ出力される。
【００３１】
そして、ＯＲ（論理和）演算器４５は、水平方向のブロック境界あるいは垂直方向のブロック境界を検出した場合に、ブロック境界（ＢＣＨＧ）信号に「Ｈ」を設定して出力する。なお、ブロック境界ではない場合には、ブロック境界（ＢＣＨＧ）信号には「Ｌ」が設定される。また、水平カウンタ４１およびラインカウンタ３２は、水平同期信号および垂直同期信号を用いることで、行あるいは列の末尾に達するごとにリセットされる。
【００３２】
図２に戻り、設定部１６ｂについて説明する。設定部１６ｂは、輝度成分の高周波成分を表す「シャープネス」、色成分の大きさを表す「カラー」、色成分の高周波成分を表す「色エッジ」、輝度成分の明暗差を表す「コントラスト」、輝度成分の大きさを表す「ブライトネス」といった、利用者によって設定された各画質調整値を画質調整部１６ｃへ通知する処理を行う処理部である。
【００３３】
画質調整部１６ｃは、画質劣化検出部１６ａから受け取った信号である、劣化検出（Ｂ）、歪み量（Ｃ）およびブロック境界（ＢＣＨＧ）に基づき、設定部１６ｂから通知された各画質調整値を変更する処理を行う処理部である。また、この画質調整部１６ｃは、Ｈ２６４デコーダから受け取った映像信号（Ａ）を、変更後の各画質調整値を用いて画質調整したうえでビデオ出力として外部装置へ出力する処理を行う処理部でもある。なお、本実施例１では、設定部１６ｂから通知された各画質調整値を変更する場合について説明するが、各画質調整値を無視し、歪み量（Ｃ）に基づいた画質調整を行うこととしてもよい。
【００３４】
次に、この画質調整部１６ｃを回路で構成した場合の例について図５を用いて説明する。図５は、画質調整補正回路の一例を示す図である。同図に示すように、画質調整補正回路は、論理積（ＡＮＤ）演算器５１と、補正回路α５２ａと、補正回路β５２ｂと、補正回路γ５２ｃと、シャープネス調整部５３と、カラー／色エッジ調整部５４と、ＲＧＢ復調部５５と、コントラスト／ブライトネス調整部５６とから構成される。
【００３５】
なお、シャープネス調整部５３には、映像信号（Ａ）に含まれる輝度信号が入力され、カラー／色エッジ調整部５４には、映像信号（Ａ）に含まれる色信号が入力される。たとえば、映像信号（Ａ）をＹＣｂＣｒ表色系であらわした場合には、輝度を表す「Ｙ」成分がシャープネス調整部５３へ入力され、色差を表す「Ｃｂ」成分および「Ｃｒ」成分がカラー／色エッジ調整部５４へ入力される。
【００３６】
そして、シャープネス調整部５３およびカラー／色エッジ調整部５４において各画質調整値を適用された映像信号（Ａ）は、ＲＧＢ復調部５５による復調処理を経て、コントラスト／ブライトネス調整部５６において、コントラストおよびブライトネスの調整が行われたうえでＲＧＢ信号として出力される。
【００３７】
また、同図に示す補正回路α５２ａはシャープネス調整部５３に対する補正処理を、補正回路β５２ｂはカラー／色エッジ調整部５４に対する補正処理を、補正回路γ５２ｃはコントラスト／ブライトネス調整部５６に対する補正処理を、それぞれ担当する補正回路である。
【００３８】
同図に示すように、論理積（ＡＮＤ）演算器５１には、図３に示した画質劣化検出回路からの信号である劣化検出（Ｂ）信号と、図４に示したブロック境界検出回路からの信号であるブロック境界（ＢＣＨＧ）信号とが入力され、劣化検出（Ｂ）信号が「Ｈ」であり、かつ、ブロック境界（ＢＣＨＧ）信号が「Ｈ」である場合、すなわち、ブロック境界の画質劣化を検出した場合に「Ｈ」を、それ以外の場合に、「Ｌ」をそれぞれ出力する。なお、論理積（ＡＮＤ）演算器５１による演算結果は、補正回路α５２ａ、補正回路β５２ｂおよび補正回路γ５２ｃへそれぞれ出力される。
【００３９】
補正回路α５２ａは、シャープネス調整部５３に対する補正を行う回路である。この補正回路α５２ａには、図３に示した画質劣化検出回路からの信号である歪み量（Ｃ）信号が入力される。そして、補正回路α５２ａは、シャープネスの設定値を保持しており、論理積（ＡＮＤ）演算器５１から「Ｈ」信号を受け取った場合には、歪み量（Ｃ）信号とシャープネス（設定値）との差分をシャープネス調整部５３へ出力する。一方、論理積（ＡＮＤ）演算器５１から「Ｌ」信号を受け取った場合には、０とシャープネス（設定値）との差分、すなわち、シャープネス（設定値）をそのままシャープネス調整部５３へ出力する。
【００４０】
補正回路β５２ｂは、カラー／色エッジ調整部５４に対する補正を行う回路であり、カラー／色エッジについての設定値を保持している。そして、論理積（ＡＮＤ）演算器５１から「Ｈ信号」を受け取ったか、「Ｌ信号」を受け取ったかに応じ、歪み量（Ｃ）および設定値に応じた補正値をカラー／色エッジ調整部５４に対して出力する。なお、かかる補正値は、歪み量（Ｃ）に基づく所定の関数であらわされ、歪み量（Ｃ）が大きい場合に、カラーの濃さおよび色エッジの高域成分を減衰させる値をとる。
【００４１】
補正回路γ５２ｃは、コントラスト／ブライトネス調整部５６に対する補正を行う回路であり、補正回路α５２ａと同様に、コントラスト／ブライトネスについての設定値を保持している。そして、論理積（ＡＮＤ）演算器５１から「Ｈ信号」を受け取ったか、「Ｌ信号」を受け取ったかに応じ、歪み量（Ｃ）および設定値に応じた補正値をコントラスト／ブライトネス調整部５６に対して出力する。なお、かかる補正値は、歪み量（Ｃ）に基づく所定の関数であらわされ、歪み量（Ｃ）が大きいほど、コントラストおよびブライトネスを小さくする値をとる。
【００４２】
このように、映像信号（Ａ）の画質劣化度合いを示す歪み量（Ｃ）に応じてブロック境界のみシャープネス／カラー／色エッジ／コントラスト／ブライトネスが、それぞれ弱くなる方向へ自動補正することで、ブロック境界部分に顕著に現れるブロック間歪みの増大を軽減し、より見やすい映像を提供することができる。
【００４３】
なお、補正回路α５２ａ、補正回路β５２ｂおよび補正回路γ５２ｃが出力する各補正値は、画質調整値ごとに歪み量（Ｃ）の重み付けを行ったうえで算出することとしてもよい。たとえば、人間の目は明るさの変化に敏感であるため、シャープネス、コントラスト、ブライトネスについては、カラーおよび色エッジよりも、同一の歪み量（Ｃ）であっても大きめの補正量をとるように重み付けを行うことができる。
【００４４】
次に、図２に示した制御部１６が実行する処理手順について図６を用いて説明する。図６は、制御部１６が実行する処理手順を示すフローチャートである。同図に示すように、復号化した映像が入力されると（ステップＳ１０１）、画質劣化検出部１６ａは、輝度信号に基づいて歪み量（Ｃ）を検出する（ステップＳ１０２）。つづいて、歪み量（Ｃ）が所定の閾値よりも大きいか否かが判定される（ステップＳ１０３）。
【００４５】
そして、歪み量（Ｃ）が所定の閾値よりも大きい場合には（ステップＳ１０３，Ｙｅｓ）、画質劣化ありと判定する（ステップＳ１０４）。なお、ステップＳ１０３の判定条件を満たさなかった場合には（ステップＳ１０３，Ｎｏ）、ステップＳ１０２以降の処理を繰り返す。
【００４６】
つづいて、ブロック境界であるか否かが判定され（ステップＳ１０５）、ブロック境界である場合には（ステップＳ１０５，Ｙｅｓ）、画質調整部１６ｃは、予め設定された画質調整値から歪み量（Ｃ）を減じ（ステップＳ１０６）、変更後の画質調整値を用いて補正処理を実行する（ステップＳ１０７）。そして、全映像についての処理が終了した場合には（ステップＳ１０８，Ｙｅｓ）、処理を終了する。なお、ステップＳ１０５の判定条件を満たさなかった場合（ステップＳ１０５，Ｎｏ）およびステップＳ１０８の判定条件を満たさなかった場合には（ステップＳ１０８，Ｎｏ）、ステップＳ１０２以降の処理を繰り返す。
【００４７】
上述してきたように、本実施例１によれば、画質劣化検出部が、復号化映像における輝度信号の高域成分の絶対値に基づいてブロック間歪み量を検出し、検出されたブロック間歪み量が所定の閾値よりも大きい場合に復号化映像に画質劣化があると判定し、画質調整部が、画質劣化があると判定された場合に、検出されたブロック間歪み量に基づいてブロックの境界部分についてのみ画質調整を行うこととしたので、ブロック間歪み量の大小に応じて動的に画質調整を行うことで、ブロック間歪みによる画質劣化が発生した場合であっても最適な画質調整を行うことができる。また、ブロック境界においてのみ画質調整値の変更を行うことで、画像全体の質感を損なうことなく、ブロック間歪みを低減することができる。
【００４８】
ところで、上述した実施例１では、画質劣化検出部が映像信号のみに基づいて画質劣化を検出する場合について示したが、チューナや復調部からの信号を併用して画質劣化を検出することとしてもよい。また、画質劣化装置を車両に搭載した場合には、当該車両の車速を併用して画質劣化を検出することとしてもよい。そこで、以下では、画質劣化検出部が、映像信号以外の信号を併用して画質劣化を検出する場合について説明する。
【実施例２】
【００４９】
図７は、実施例２に係る画質調整装置１０ａの構成を示すブロック図である。なお、実施例２に係る画質調整装置１０は、自動車などの車両に搭載されるものとする。また、同図においては、実施例１に係る画質調整装置１０（図２参照）と、同一の構成要素には同一の符号を付している。また、以下では、実施例１と同様の部分についての説明は省略するか、簡単な説明にとどめることとする。
【００５０】
実施例２に係る画質調整装置１０ａは、車速取得部１７を備える点で実施例１に係る画質調整装置１０と異なる。車速取得部１７は、車両に搭載された車速センサ等から構成され、取得した車速を画質劣化検出部１６ｄへ出力する。
【００５１】
また、実施例２に係る画質劣化検出部１６ｄは、実施例１に係る画質劣化検出部１６ａとは異なり、チューナ１１、復調部１２および車速取得部１７と接続されており、Ｈ２６４デコーダ１５からの映像信号（Ａ）に加えて、チューナ１１からのＡＧＣ（Automatic  Gain  Control）電圧（ＡＧＣ）と、受信周波数（ＣＨ）と、復調部１２からのエラー数（Ｅ）と、車速取得部１７からの車速（Ｖ）とを入力信号として受け取る。
【００５２】
チューナ１１からのＡＧＣ電圧は受信波の強度に応じて変化するため、ＡＧＣ電圧を用いることで受信状態の良否を判定することができる。また、受信周波数（ＣＨ）が高いほど、ドップラー効果による影響が大きくなるので受信状態が悪化する。また、復調部１２からのエラー数（Ｅ）が多いほど受信状態が悪いと判定することができる。そして、車速（Ｖ）が速いほど、ドップラー効果による影響が大きくなるので受信状態が悪化する。
【００５３】
このように、受信状態の良否を示す各信号を用いることで、画質劣化検出部１６ｄは、ブロック間歪みの発生を予測することができる。そして、実施例１で示した映像信号（Ａ）に基づく画質劣化の検出と併用することで、入力映像の劣化度合いを高精度に検出することが可能となる。
【００５４】
なお、チューナ１１からのＡＧＣ電圧（ＡＧＣ）、受信周波数（ＣＨ）、復調部１２からのエラー数（Ｅ）、車速取得部１７からの車速（Ｖ）のいずれかに基づいて画質劣化を検出することとしてもよい。また、映像信号（Ａ）を含めた各信号値に対して所定の重み付けを行って合成することで画質劣化を検出することとしてもよい。
【産業上の利用可能性】
【００５５】
以上のように、本発明に係る画質調整方法および画質調整装置は、ブロック間歪みの低減に有用であり、特に、車両のように受信状態が変化しやすい環境におけるブロック間歪みの低減に適している。
【図面の簡単な説明】
【００５６】
【図１】本発明に係る画質調整手法の概要を示す図である。
【図２】実施例１に係る画質調整装置の構成を示すブロック図である。
【図３】画質劣化検出回路の一例を示す図である。
【図４】ブロック境界検出回路の一例を示す図である。
【図５】画質調整補正回路の一例を示す図である。
【図６】制御部が実行する処理手順を示すフローチャートである。
【図７】実施例２に係る画質調整装置の構成を示すブロック図である。
【符号の説明】
【００５７】
１０、１０ａ    画質調整装置
１１    チューナ
１２    復調部
１３    Ｄｅｍｕｘ
１４    ＡＡＣデコーダ
１５    Ｈ２５４デコーダ
１６    制御部
１６ａ、１６ｄ  画質劣化検出部
１６ｂ  設定部
１６ｃ  画質調整部
１７    車速取得部
【図１】
2009212806.tif 000003
【図２】
2009212806.tif 000004
【図３】
2009212806.tif 000005
【図４】
2009212806.tif 000006
【図５】
2009212806.tif 000007
【図６】
2009212806.tif 000008
【図７】
2009212806.tif 000009